(57)【要約】【課題】室温の変化により被着縁部片が伸縮しても被着縁部片に対する密着性が衰えることなく、確実に汁洩れが防止され、また、開蓋防止機能のロック解除後においては、蓋の取付け、取り外しが容易である開蓋防止機能付き密閉容器を提供する。【解決手段】口部としての起立口縁部にその下端部に沿った外周に断面Ｌ字形の環状突片が突設され、該環状突片は上部には帯切取片が形成され下部には凹溝が形成されている身と、外周に身の起立口縁部に密嵌するよう断面逆Ｕ字形の被着縁部片が形成され、その先端には前記凹溝に落ち込む突縁部が設けられている蓋とからなり、開蓋防止機能として、帯切取片の突出基端にそれを欠除するための切取溝が形成され、摘みにより帯切取片を欠除可能とした開蓋防止機能付き密閉容器において、身の起立口縁部は、弾性変形しやすく上下長の一対の起立片からなる逆二股状であって、両起立片の間がＶ字形の溝として形成され、身の起立口縁部に該溝の閉じの弾性を伴わせて蓋の被着縁部片が密嵌されている。【選択図】    図1
2012035894.tif 000002
【特許請求の範囲】
【請求項１】
口部としての起立口縁部にその下端部に沿った外周に断面Ｌ字形の環状突片が突設され、該環状突片は上部には帯切取片が形成され下部には凹溝が形成されている身と、外周に身の起立口縁部に密嵌するよう断面逆Ｕ字形の被着縁部片が形成され、その先端には前記凹溝に落ち込む突縁部が設けられている蓋とからなり、開蓋防止機能として、帯切取片の突出基端にそれを欠除するための切取溝が形成され、摘みにより帯切取片を欠除可能とした開蓋防止機能付き密閉容器において、身の起立口縁部は、弾性変形しやすく上下長の一対の起立片からなる逆二股状であって、両起立片の間がＶ字形の溝として形成され、身の起立口縁部に該溝の閉じの弾性を伴わせて蓋の被着縁部片が密嵌されていることを特徴とする開蓋防止機能付き密閉容器。
【請求項２】
身の帯切取片の先端に凹溝に内向する内向爪が形成され、被着縁部片の突縁部に該内向爪が係合しそれを押さえ止めていることを特徴とする請求項１記載の開蓋防止機能付き密閉容器。
【請求項３】
身の起立口縁部にその下端部外周に沿って環状凹所を形成し、蓋の被着縁部片の反転下端に該環状凹所に係合する環状凸部が形成されていることを特徴とする請求項１又は２記載の開蓋防止機能付き密閉容器。
【発明の詳細な説明】
【技術分野】
【０００１】
この発明は、プラスチックで成形された身と蓋とからなり、魚介類や山菜等の加工食品を包装するために使用する開蓋防止機能付き密閉容器に関する。
【背景技術】
【０００２】
開蓋防止機能付き密閉容器は、消費者において開封されるまで食品の安全性を確保するために、流通機構において他人によりまたは不用意に開封されることのないようした蓋付き容器であって、一旦開封されると、以後、開蓋が支承なく行われる。その例としては、この出願人に係る特許文献１に記載されたものを挙げることができる。
【０００３】
これによれば、身の上端の起立口縁部に対して、蓋にはこれに密嵌する断面逆Ｕ字形に反転した被着縁部片が形成され、身の起立口縁部の下端部に、被着縁部片の反転先としての下端を受ける断面Ｌ字形の帯切取片を突設することにより、その上に蓋の被着縁部片の先端が落ち込む凹溝を形成したもので、開蓋防止機能としては、帯切取片の突出基端にそれを欠除するための切取溝を形成し、外側の一部にはその切り取りのための摘みを垂設し、且つ、摘みの一側において切取溝に切り至る切口を設けたものであった。
【０００４】
上記のような本出願人に係る開蓋防止機能付き密閉容器によれば、蓋の被着縁部片の反転先下縁が帯切取片により覆われているので、蓋に手を掛ける箇所がないことから、流通過程においては蓋を開けることは困難である。しかし、摘みを引いて切取溝に沿って帯切取片を引きちぎると、蓋の被着縁部片の反転先端が露出するので、その下端に指を掛けて持ち上げながら、起立口縁部から被着縁部片を抜くことにより蓋を開けることができる。
【先行技術文献】
【特許文献】
【０００５】
【特許文献１】特許第３１５５６７７号公報
【発明の概要】
【発明が解決しようとする課題】
【０００６】
上記の開蓋防止機能付き密閉容器によれば、汁が漏れ出ることのないように、身の上端の起立口縁部に対して、蓋の被着縁部片が密着され、水密性を高めるよう成形されている。しかしながら、温度の変化があると、殊にその影響を直接受ける被着縁部片では起立口縁部に対して伸び縮みすることにより隙間が生じ、それが原因で汁漏れが生じるおそれがあった。
【０００７】
また、開蓋防止機能としての帯切取片を引き千切って除くと、消費者において残り物等の保存容器として重宝されるが、汁洩れを防止するために起立口縁部に対して被着縁部片の密着が強固であると、蓋をたやすく開閉できないという問題があった。
【０００８】
この発明は、上記のような実情に鑑みて、室温の変化により被着縁部片が伸縮しても被着縁部片に対する密着性が衰えることなく、確実に汁洩れが防止され、また、開蓋防止機能のロック解除後においては、蓋の取付け、取り外しが容易である開蓋防止機能付き密閉容器を提供すること課題とした。
【課題を解決するための手段】
【０００９】
上記の課題を解決するために、この発明は、口部としての起立口縁部にその下端部に沿った外周に断面Ｌ字形の環状突片が突設され、該環状突片は上部には帯切取片が形成され下部には凹溝が形成されている身と、外周に身の起立口縁部に密嵌するよう断面逆Ｕ字形の被着縁部片が形成され、その先端には前記凹溝に落ち込む突縁部が設けられている蓋とからなり、開蓋防止機能として、帯切取片の突出基端にそれを欠除するための切取溝が形成され、摘みにより帯切取片を欠除可能とした開蓋防止機能付き密閉容器において、身の起立口縁部は、弾性変形しやすく上下長の一対の起立片からなる逆二股状であって、両起立片の間がＶ字形の溝として形成され、身の起立口縁部に該溝の閉じの弾性を伴わせて蓋の被着縁部片が密嵌されていることを特徴とする開蓋防止機能付き密閉容器を提供する。
【００１０】
開蓋防止機能付き密閉容器を上記のように構成したから、起立口縁部の二股形状の溝は、それがＶ字形であるので、両起立片に腰があり弾性が全長に安定して強力に及ぶ。そのため、起立口縁部に被着縁部片が全体的に密着し、また、起立片の長さにより弾性変形の強弱の程度を適正に取りうることから、気温の変化により伸縮しても密着に隙間が生じることはなく、常時水密性が保持される。両起立片が長い形状であっても、また、Ｖ字形が深目の溝であっても、Ｖ字形なので根元が厚いことで成形の際に千切れるということもなく、身の射出成形に好都合でもある。
【発明の効果】
【００１１】
以上説明したように、この発明の開蓋防止機能付き密閉容器によれば、流通過程においては安全にロック機能が発揮されることはもちろん、流通過程ばかりでなく、ロック解除後においても、汁が洩れないように安全に水密性が保持され、ロック解除後においては、蓋を容易に取付け、取外しできるために、冷蔵庫での保存容器として一層重宝に使用でき、製造においても両起立片を確実に成形できるという優れた効果がある。
【００１２】
また、請求項２および請求項３によれば、蓋が不用意に開いてしまう不都合を防止できる。
【図面の簡単な説明】
【００１３】
【図１】この発明の第１実施例を示す開蓋防止機能付き密閉容器の上端部としての要部断面図である。
【図２】同要部について蓋が開かれた状態を示す断面図である。
【図３】同開蓋防止機能付き密閉容器の正面図である。
【図４】同開蓋防止機能付き密閉容器の底面図である。
【図５】開蓋防止機能を兼ねて説明する要部の断面斜視図である。
【図６】第２実施例を示す図１に対応する断面図である。
【発明を実施するための形態】
【００１４】
次に、この発明の実施形態を説明する。
【実施例１】
【００１５】
図１ないし図５は、この発明の一実施例を示したもので、その開蓋防止機能付き密閉容器は、それぞれポリプロピレン樹脂で射出成形された身１と蓋３とからなる小物容器であって、身１の上端部の位置においてこの発明が実施されている。
【００１６】
身１は、口部の周囲に起立口縁部５が垂直に設けられ、その厚み中央にＶ字形の溝７が設けられ、一対の起立片５ａ，５ａからなる逆二股状に形成され、成形段階においては、上端に行くにつれて全体の厚みが少し広がりに形成される。その厚みの最大幅をＸとする。起立口縁部５の下端には外周に環状突片４０が設けられ、それを断面Ｌ字形に形成することにより外周との間に凹溝１１が生じている。
【００１７】
開蓋防止機能との関係については、環状突片４０の上部に位置する帯切取片９の下端部に切取溝１３が設けられ、Ｌ字形の上部先端に凹溝１１へ内向する内向爪１５が形成される。また、帯切取片９の一部に摘み１７が舌片状に形成され、摘み１７の切取りのために、帯切取片９には、摘み１７の一側において切取溝１３に至る下方開放形の切口１９を設け、さらに摘み１７を引き出しやすくするために、切口１９から切取溝１３に至るガイド溝２１を摘み１７の裏側に走らせるように設けてある。
【００１８】
蓋３は、上面を幅広く落ち込ませることにより周囲に断面逆Ｕ字形の被着縁部片２３が形成され、被着縁部片２３の反転先端に外側への突縁部２５が突出し、突縁部２５に内向爪１５が抑え止めに掛止している。被着縁部片２３の内溝２４はストレートであって、その溝幅をＹとすると、Ｘ＞Ｙである。
【００１９】
図１は、蓋３を被せた状態を示したもので、身１の起立口縁部５に蓋３の被着縁部片２３が嵌着し、環状突片４０の上部を占める帯切取片９先端の内向爪１５で止められているので、摘み１７を引いて帯切取片９を切り取らない限り、蓋３を開けることはできないロック状態にある。また、蓋３の被着縁部片２３の嵌着により、起立口縁部５の股開きがやゝ閉じて弾性変形を生じているので、被着縁部片２３の熱による伸縮があっても弾性に吸収される結果、起立口縁部５との密着状態が常時保持される。
【００２０】
図２は、蓋３を開けた状態を示したもので、帯切取片９の内向爪１５の押さえがなくなっているので、起立口縁部５に被着縁部片２３を容易に着脱できる。
【実施例２】
【００２１】
図６は、他の実施例を示したもので、この場合は、起立口縁部５の下端部の外側に湾曲した環状凹部２６を設け、被着縁部片２３の反転下端部に環状凹所２６に係合する湾曲した環状凸部２７が設けられる。そこで、環状凹所２６と環状凸部２７との係合により蓋３の脱出が阻止される安定性がある。
【００２２】
Ｖ字形溝７は上記実施例よりはやゝ深く、起立口縁部５がその下端部に環状凹所２６を有することによりそれに沿って変形した偏ったＶ字形である。この変形Ｖ字形により、二股部の厚みが保持されるために、成形時に二股片が千切れる不都合が防止される。
【符号の説明】
【００２３】
１  身
３  蓋
５  起立口縁部
７  深溝
９  帯切取片
１３  切取溝
１５  内向爪
１７  摘み
２３  被着縁部片
２５  突縁部
２６  環状凹所
２７  環状凸部
【図１】
2012035894.tif 000003
【図２】
2012035894.tif 000004
【図３】
2012035894.tif 000005
【図４】
2012035894.tif 000006
【図５】
2012035894.tif 000007
【図６】
2012035894.tif 000008